(57)【特許請求の範囲】
【請求項１】
葉書に記載された個人情報を覆い隠すための隠蔽用ラベルを備えた葉書用紙が、複数枚重ね合わされ、それらの一端部で綴じ合わされてなる隠蔽用ラベル付き葉書セットであって、
前記隠蔽用ラベルを備えた葉書用紙は、綴り合わせ用紙部と、葉書用紙部と、隠蔽用ラベル貼付用紙部とが、それぞれ切り取り用ミシンを介して連接され、前記隠蔽用ラベル貼付用紙部の上側に隠蔽用ラベルが重ねられ、前記隠蔽用ラベルの裏面の一端部で前記隠蔽用ラベル貼付用紙部の表面と接着されてなり、
前記隠蔽用ラベルを備えた葉書用紙が複数枚重ね合わされ、綴り合わせ用紙部に設けられた接着剤で、複数枚重ね合わされた、隠蔽用ラベルを備えた葉書用紙が接着一体化され、前記複数枚重ね合わされた、隠蔽用ラベルを備えた葉書用紙の上側に、前記葉書用紙と同一寸法を有する案内用紙が重ね合わされ、前記綴り合わせ用紙部と前記案内用紙の一端部で接着されていることを特徴とする隠蔽用ラベル付き葉書セット。
【発明の詳細な説明】
【技術分野】
【０００１】
本発明は、葉書に記載された個人情報を覆い隠すための隠蔽用ラベルを備えた葉書用紙が、複数枚重ね合わされ、それらの一端部で綴じ合わされてなる隠蔽用ラベル付き葉書セットに関する。
【背景技術】
【０００２】
従来、各種の案内として、郵便物の送り主から案内書を郵送する場合に、和封筒に案内書などと共に返信用の葉書を入れて郵送することが行なわれている。
また、これらの封入する返信用の葉書については、個人情報保護として、郵送中において第三者に個人情報が漏洩されることを防ぐためにも、葉書に記載した個人情報の領域に、隠蔽用ラベルを剥離可能に貼り付けて外部から目視できない状態にして郵送することが行なわれている。
これらの隠蔽用ラベルについては、既に公知となっているものがある。（例えば、特許文献１〜３参照）
【０００３】
【特許文献１】特開平１０−１６６７６５号公報
【特許文献２】特開平１１−１２９６５４号公報
【特許文献３】特開平１１−３３４２５６号公報
【０００４】
しかしながら、和封筒に複数枚の葉書と案内書などを入れる場合には、葉書を１枚ごとに、案内書も１枚ごとに、順番に入れる必要があることから、複数枚を入れるための封入作業が発生して、手間や時間がかかり作業効率が悪いという問題がある。
【発明の開示】
【発明が解決しようとする課題】
【０００５】
そこで、本発明は、和封筒に複数枚の葉書と案内書などを入れる場合でも、効率的に封入を行なえるようにした隠蔽用ラベル付き葉書セットを提供する。
【課題を解決するための手段】
【０００６】
本発明の隠蔽用ラベル付き葉書セットは、葉書に記載された個人情報を覆い隠すための隠蔽用ラベルを備えた葉書用紙が、複数枚重ね合わされ、それらの一端部で綴じ合わされてなる隠蔽用ラベル付き葉書セットであって、前記隠蔽用ラベルを備えた葉書用紙は、綴り合わせ用紙部と、葉書用紙部と、隠蔽用ラベル貼付用紙部とが、それぞれ切り取り用ミシンを介して連接され、前記隠蔽用ラベル貼付用紙部の上側に隠蔽用ラベルが重ねられ、前記隠蔽用ラベルの裏面の一端部で前記隠蔽用ラベル貼付用紙部の表面と接着されてなり、前記隠蔽用ラベルを備えた葉書用紙が複数枚重ね合わされ、綴り合わせ用紙部に設けられた接着剤で、複数枚重ね合わされた、隠蔽用ラベルを備えた葉書用紙が接着一体化され、前記複数枚重ね合わされた、隠蔽用ラベルを備えた葉書用紙の上側に、前記葉書用紙と同一寸法を有する案内用紙が重ね合わされ、前記綴り合わせ用紙部と前記案内用紙の一端部で接着されていることを特徴とする。
【発明の効果】
【０００７】
上記のように、本発明の隠蔽用ラベル付き葉書セットは、複数枚重ね合わされた、隠蔽用ラベルを備えた葉書用紙の上側に、前記葉書用紙と同一寸法を有する案内用紙が重ね合わされ、前記綴り合わせ用紙部と前記案内用紙の一端部で接着されているので、和封筒に複数枚の葉書と案内書などを入れる場合でも、葉書を１枚ごとに、案内書も１枚ごとに、順番に入れる必要もなく、効率的に封入を行なえるという効果がある。
【発明を実施するための最良の形態】
【０００８】
以下、本発明の実施形態に係る隠蔽用ラベル付き葉書セットを、図面に基づいて詳細に説明する。
この実施形態では、一例として、４枚の葉書用紙に２枚の案内用紙を重ね合わせた構成について説明する。
図１は、実施形態に係る隠蔽用ラベル付き葉書セットの斜視図、図２は、実施形態に係る隠蔽用ラベル付き葉書セットの構成を説明するための斜視図である。
隠蔽用ラベル付き葉書セット１は、図１に示すように、葉書に記載された個人情報を覆い隠すための隠蔽用ラベル３ａ，３ｂ，３ｃ，３ｄを備えた４枚の葉書用紙２ａ，２ｂ，２ｃ，２ｄが、複数枚重ね合わされ、それらの一端部で接着されて綴じ合わされている。
更に、隠蔽用ラベル付き葉書セット１は、４枚重ね合わされた葉書用紙２ａ，２ｂ，２ｃ，２ｄの上側に、葉書用紙と同一寸法を有する２枚の案内用紙４ａ，４ｂが重ね合わされ、それら全ての用紙の一端部でそれぞれ接着剤５により接着されて一体化されている。
また、葉書用紙２ａ，２ｂ，２ｃ，２ｄや案内用紙４ａ，４ｂについては、必要に応じて適宜枚数を変更することができる。
【０００９】
隠蔽用ラベルを備えた葉書用紙２ａ，２ｂ，２ｃ，２ｄについては、各々同一構成を有している。
したがって、隠蔽用ラベルを備えた葉書用紙の構成の説明については、図３に示すように、１つの隠蔽用ラベルを備えた葉書用紙２ａの構成を説明することで、他の葉書用紙２ｂ，２ｃ，２ｄについての説明を省略する。
隠蔽用ラベルを備えた葉書用紙２ａは、１枚の用紙に所定部分に２つの切り取り用ミシン６，７が形成されて、３つの用紙部として、綴り合わせ用紙部８と、葉書用紙部９と、隠蔽用ラベル貼付用紙部１０とを有している。
そして、綴り合わせ用紙部８の所定部分に接着剤５が塗布されて接着され一体化されており、切り取り用ミシン６により葉書用紙部９及び隠蔽用ラベル貼付用紙部１０を切り取れるように構成されている。
【００１０】
また、隠蔽用ラベル貼付用紙部１０の上側には、隠蔽用ラベル３ａが重ねられ、隠蔽用ラベル貼付用紙部１０の下側の一端部分に塗布された接着剤１１により、隠蔽用ラベル３ａの一部分である剥離紙１４と隠蔽用ラベル貼付用紙部１０が接着されている。
【００１１】
隠蔽用ラベル３ａは、図４に示すように、裏面に粘着剤１２が塗布されたラベル紙１３と、上面が剥離剤などで剥離可能にコーティングされた剥離紙１４とから構成され、剥離紙１４の上にラベル紙１３が剥離可能に貼付されている。
粘着剤１２は、剥離紙１４からラベル紙１３を剥離させた後に、再度、葉書用紙部９に貼付させた場合でも、剥離可能な粘着剤が用いられている。
また、剥離紙１４の上に貼付されているラベル紙１３の寸法は、隠したい領域に応じて所定の寸法のラベル紙１３を設ければよい。
そして、隠蔽用ラベル３ａは、葉書用紙部９を葉書として発送する前に、切り取り用ミシン７から切り取ることで、葉書用紙部９から分離させることができる。
【００１２】
また、葉書用紙部９には、所定位置に個人情報を記入するための記入欄１５が所定の部分に設けられており、ラベル紙１３を記入欄１５上に貼付させることで、記入情報を秘密状態にして葉書を郵送させることができる。
【００１３】
隠蔽用ラベル付き葉書セット１には、葉書用紙２ａ，２ｂ，２ｃ，２ｄの上側に、葉書用紙と同一寸法を有する２枚の案内用紙４ａ，４ｂが重ね合わされているが、これらの案内用紙４ａ，４ｂには隠蔽用ラベル付き葉書セット１の使用手順や、挨拶文などの所望の情報が表示させておくことができ、その他の用紙を同封しないでも、目的が達成できるように構成されている。
【００１４】
次に、隠蔽用ラベル付き葉書セット１の使用方法について説明する。
この隠蔽用ラベル付き葉書セット１は、葉書用紙２ａ，２ｂ，２ｃ，２ｄの上側に、葉書用紙と同一寸法を有する２枚の案内用紙４ａ，４ｂが重ね合わされ、それら全ての用紙の一端部でそれぞれ接着剤５により接着されて一体化されているので、郵送する場合でも、封筒に１セットを入れるだけで、隠蔽用ラベルを備えた葉書用紙を複数枚同時に封入することができる。
【００１５】
次に、隠蔽用ラベル付き葉書セット１の受取人は、案内用紙４ａ，４ｂに記載された情報を読んだ後に、必要に応じて、使用する葉書用紙の記入欄１５に記入する。
そして、隠蔽用ラベル３ａからラベル紙１３を剥離させた後に、葉書用紙の記入欄１５上にラベル紙１３を貼付させて記入事項が外部から見えない状態にする。
次に、２つの切り取り用ミシン６，７から切り離して、葉書用紙部９を分離させる。
これにより、葉書用紙部９を葉書として発送できる。
【００１６】
上記のように、本発明の隠蔽用ラベル付き葉書セット１は、和封筒に複数枚の葉書と案内書などを入れる場合でも、葉書を１枚ごとに、案内書も１枚ごとに、順番に入れる必要もなく、複数枚を入れるための封入作業を効率的に行なうことができ、また、受取人において、受け取った隠蔽用ラベル付き葉書セット１を使用して、葉書に記入した事項を第三者に見られない状態として郵送させることができるように構成されている。
【図面の簡単な説明】
【００１７】
【図１】本発明の実施形態に係る隠蔽用ラベル付き葉書セットの斜視図である。
【図２】本発明の実施形態に係る隠蔽用ラベル付き葉書セットの構成を説明するための斜視図である。
【図３】本発明の実施形態に係る隠蔽用ラベル付き葉書セットを構成する葉書用紙を説明するための図である。
【図４】本発明の実施形態に係る隠蔽用ラベル付き葉書セットの側面図である。
【符号の説明】
【００１８】
１  隠蔽用ラベル付き葉書セット
２ａ，２ｂ，２ｃ，２ｄ  葉書用紙
３ａ，３ｂ，３ｃ，３ｄ  隠蔽用ラベル
４ａ，４ｂ  案内用紙
５，１１  接着剤
６，７  切り取り用ミシン
８  綴り合わせ用紙部
９  葉書用紙部
１０  隠蔽用ラベル貼付用紙部
１２  粘着剤
１３  ラベル紙
１４  剥離紙
１５  記入欄
【図１】
0005035547.tif 000002
【図２】
0005035547.tif 000003
【図３】
0005035547.tif 000004
【図４】
0005035547.tif 000005